(57)【特許請求の範囲】
【請求項１】
第１ユーザから画像を受け付け、広告主が前記広告主の広告の提供対象とするユーザの関係を指定する第１条件と、前記広告主が前記広告主の広告の提供対象とする画像を指定する第２条件とを含む条件を広告主から受け付ける受付部と、
前記第１ユーザ以外の第２ユーザに関する情報に基づいて、前記第１ユーザと前記第２ユーザとの間の関係が前記第１条件を満たす広告を、前記第２ユーザに送付される送付物に、前記第１ユーザから受け付けた画像であって、前記第２条件を満たす画像とともに掲載される広告として選択する選択部と、
を備えたことを特徴とする選択装置。
【請求項２】
前記受付部は、
前記第１ユーザから前記第２ユーザに関する情報を受け付ける
ことを特徴とする請求項１に記載の選択装置。
【請求項３】
前記選択部は、
前記第２ユーザに関する情報に加えて、前記第１ユーザに関する情報に基づいて、前記広告を選択する
ことを特徴とする請求項１または請求項２に記載の選択装置。
【請求項４】
前記選択部は、
前記第１ユーザと前記第２ユーザとの関係に関する情報に基づいて、前記広告を選択する
ことを特徴とする請求項３に記載の選択装置。
【請求項５】
前記選択部は、
前記第２ユーザに関する情報に加えて、前記受付部により受け付けられた前記画像の解析に関する情報に基づいて、前記広告を選択する
ことを特徴とする請求項１〜４のいずれか１項に記載の選択装置。
【請求項６】
前記受付部は、
広告主から前記広告主の広告を掲載する広告料金に関する情報を受け付け、
前記選択部は、
前記受付部による画像の受付けから、前記送付物の前記第２ユーザへの配送までに要する費用以上の前記広告料金が得られる広告を選択する
ことを特徴とする請求項１〜５のいずれか１項に記載の選択装置。
【請求項７】
前記受付部は、
広告主から前記広告主の広告を提供するユーザに関する情報に対して指定を受け付け、
前記選択部は、
前記受付部により受け付けられた前記指定に基づいて、前記画像とともに掲載する広告を選択する
ことを特徴とする請求項１〜６のいずれか１項に記載の選択装置。
【請求項８】
前記受付部は、
広告主から前記広告主の広告とともに掲載する前記画像に関する指定を受け付け、
前記選択部は、
前記受付部により受け付けられた前記画像に関する指定に基づいて、前記画像とともに掲載する広告を選択する
ことを特徴とする請求項１〜７のいずれか１項に記載の選択装置。
【請求項９】
前記受付部は、
広告主から前記広告主の広告とともに掲載を希望しない前記画像に関する指定を受け付け、
前記選択部は、
前記受付部により受け付けられた前記画像に関する指定に該当しない前記画像とともに掲載する広告として、前記広告主の広告を選択する
ことを特徴とする請求項１〜８のいずれか１項に記載の選択装置。
【請求項１０】
前記送付物の送付依頼を受け付けた際に、前記第１ユーザへの送付依頼完了通知とともに広告を前記第１ユーザが利用する端末装置に送信する送信部
をさらに備えたことを特徴とする請求項１〜９のいずれか１項に記載の選択装置。
【請求項１１】
前記受付部は、
広告主から前記広告主の広告を配信する前記第１ユーザに関する情報に対して指定を受け付け、
前記送信部は、
前記受付部により受け付けられた前記指定に基づく広告を、前記第１ユーザへの送付依頼完了通知とともに前記端末装置に送信する
ことを特徴とする請求項１０に記載の選択装置。
【請求項１２】
前記受付部は、
所定の期間において設定される上限数に基づいて、前記第１ユーザから前記送付物の送付依頼を受け付ける
ことを特徴とする請求項１〜１１のいずれか１項に記載の選択装置。
【請求項１３】
コンピュータが実行する選択方法であって、
第１ユーザから画像を受け付け、広告主が前記広告主の広告の提供対象とするユーザの関係を指定する第１条件と、前記広告主が前記広告主の広告の提供対象とする画像を指定する第２条件とを含む条件を広告主から受け付ける受付工程と、
前記第１ユーザ以外の第２ユーザに関する情報に基づいて、前記第１ユーザと前記第２ユーザとの間の関係が前記第１条件を満たす広告を、前記第２ユーザに送付される送付物に、前記第１ユーザから受け付けた画像であって、前記第２条件を満たす画像とともに掲載される広告として選択する選択工程と、
を含むことを特徴とする選択方法。
【請求項１４】
第１ユーザから画像を受け付け、広告主が前記広告主の広告の提供対象とするユーザの関係を指定する第１条件と、前記広告主が前記広告主の広告の提供対象とする画像を指定する第２条件とを含む条件を広告主から受け付ける受付手順と、
前記第１ユーザ以外の第２ユーザに関する情報に基づいて、前記第１ユーザと前記第２ユーザとの間の関係が前記第１条件を満たす広告を、前記第２ユーザに送付される送付物に、前記第１ユーザから受け付けた画像であって、前記第２条件を満たす画像とともに掲載される広告として選択する選択手順と、
をコンピュータに実行させることを特徴とする選択プログラム。
【発明の詳細な説明】
【技術分野】
【０００１】
本発明は、選択装置、選択方法、及び選択プログラムに関する。
【背景技術】
【０００２】
従来、写真のプリント希望者に無料で写真を提供する技術が提供されている。例えば、このような技術においては、広告入り写真をプリント希望者に提供することにより、無料で写真を提供する。
【先行技術文献】
【特許文献】
【０００３】
【特許文献１】特開２００２−１９７３４７号公報
【発明の概要】
【発明が解決しようとする課題】
【０００４】
しかしながら、上記の従来技術では送付物に画像とともに掲載される広告を適切に選択することができるとは限らない。例えば、プリント希望者に関する情報に基づいて広告を選択する場合、適切な広告が選択されるとは限らない。
【０００５】
本願は、上記に鑑みてなされたものであって、送付物に画像とともに掲載される広告を適切に選択する選択装置、選択方法、及び選択プログラムを提供することを目的とする。
【課題を解決するための手段】
【０００６】
本願に係る選択装置は、第１ユーザから画像を受け付ける受付部と、前記第１ユーザ以外の第２ユーザに関する情報に基づいて、前記第２ユーザに送付される送付物に前記画像とともに掲載される広告を選択する選択部と、を備えたことを特徴とする。
【発明の効果】
【０００７】
実施形態の一態様によれば、送付物に画像とともに掲載される広告を適切に選択することができるという効果を奏する。
【図面の簡単な説明】
【０００８】
【図１】図１は、実施形態に係る選択処理の一例を示す図である。
【図２】図２は、実施形態に係る選択システムの構成例を示す図である。
【図３】図３は、実施形態に係る選択装置の構成例を示す図である。
【図４】図４は、実施形態に係る第１ユーザ情報記憶部の一例を示す図である。
【図５】図５は、実施形態に係る第２ユーザ情報記憶部の一例を示す図である。
【図６】図６は、実施形態に係る広告情報記憶部の一例を示す図である。
【図７】図７は、実施形態に係る端末装置の構成例を示す図である。
【図８】図８は、実施形態に係る選択処理の一例を示すフローチャートである。
【図９】図９は、実施形態に係る選択システムの概要を示す図である。
【図１０】図１０は、変形例に係る選択処理の一例を示す図である。
【図１１】図１１は、変形例に係る選択システムの構成例を示す図である。
【図１２】図１２は、変形例に係る選択装置の構成例を示す図である。
【図１３】図１３は、変形例に係る第１ユーザ情報記憶部の一例を示す図である。
【図１４】図１４は、変形例に係る第２ユーザ情報記憶部の一例を示す図である。
【図１５】図１５は、変形例に係る広告情報記憶部の一例を示す図である。
【図１６】図１６は、選択装置の機能を実現するコンピュータの一例を示すハードウェア構成図である。
【発明を実施するための形態】
【０００９】
以下に、本願に係る選択装置、選択方法、及び選択プログラムを実施するための形態（以下、「実施形態」と呼ぶ）について図面を参照しつつ詳細に説明する。なお、この実施形態により本願に係る選択装置、選択方法、及び選択プログラムが限定されるものではない。また、以下の各実施形態において同一の部位には同一の符号を付し、重複する説明は省略される。
【００１０】
（実施形態）
〔１．選択処理〕
まず、図１を用いて、実施形態に係る選択処理の一例について説明する。図１は、実施形態に係る選択処理の一例を示す図である。図１に示す選択装置１００は、あるユーザが他のユーザ宛に送付を依頼する送付物に掲載する画像を受け付ける。以下では、送付物の送付を依頼するユーザを第１ユーザとする場合がある。また、送付物の宛先（送付先）となる他のユーザを第２ユーザとする場合がある。なお、第１ユーザ及び第２ユーザは、送付物の送付先と送付元との関係に基づく相対的な概念であって、一のユーザが第１ユーザである場合、他のユーザが第２ユーザとなり得、他のユーザが第１ユーザである場合、一のユーザが第２ユーザとなり得る。また、以下の例では、送付物ははがきであり、はがきの裏側に第１ユーザから受け付けた画像を掲載する場合を説明する。また、以下の例では、はがきの裏側に画像とともに掲載する広告の選択を選択装置１００が行う場合を示す。
【００１１】
まず、図１に示す例において、選択装置１００は、複数の広告主端末５０から広告の入稿を受け付ける（ステップＳ１１）。また、選択装置１００は、例えばステップＳ１１において、広告コンテンツ（以下、単に「広告」とする場合がある）に加えて、その広告コンテンツを掲載する対象（ユーザ）に関する条件も広告主端末５０から受け付ける。例えば、図１に示す例において、選択装置１００は、車に関する広告コンテンツＡＣ１１に関する条件として、広告コンテンツＡＣ１１を掲載するユーザの年齢を「２０代」とする条件を、広告コンテンツＡＣ１１の広告主から受け付ける。また、例えば、図１に示す例において、選択装置１００は、銀行に関する広告コンテンツＡＣ１３に関する条件として、広告コンテンツＡＣ１３を掲載するユーザの居住地域を「地域Ｂ」とする条件を、広告コンテンツＡＣ１３の広告主から受け付ける。このように、選択装置１００は、各広告主からその広告主が入稿した広告コンテンツを見せたい対象に関する条件を受け付ける。
【００１２】
そして、選択装置１００は、第１ユーザから第１ユーザに関する情報を受け付ける（ステップＳ１２）。例えば、第１ユーザＵ１１は、端末装置１０にインストールされた選択処理に関するアプリケーション（以下、「アプリ」とる場合がある）により、第１ユーザＵ１１に関する情報を選択装置１００へ送信する。この場合、第１ユーザは、選択処理に関するアプリがインストールされた端末装置１０を用いて、選択装置１００との間で情報の送受信を行う。
【００１３】
図１に示す例においては、選択装置１００は、第１ユーザに関する情報として送付物の送付に必要な情報を第１ユーザから受け付ける。例えば、選択装置１００は、第１ユーザＵ１１に関する情報として送付物であるはがきの送付元（差出人）として掲載される情報を第１ユーザＵ１１から受け付ける。具体的には、選択装置１００は、第１ユーザに関する情報として第１ユーザの氏名や住所を第１ユーザから受け付ける。なお、選択装置１００は、目的に応じて種々の情報を第１ユーザに関する情報として受け付けてもよいが、詳細は後述する。
【００１４】
そして、図１に示す例において、選択装置１００は、第１ユーザから第２ユーザに関する情報を受け付ける（ステップＳ１３）。このように、図１に示す例において、選択装置１００は、はがきの送付先となる他のユーザである第２ユーザに関する情報を、はがきの送付元である第１ユーザから受け付ける。例えば、第１ユーザＵ１１は、端末装置１０にインストールされた選択処理に関するアプリにより、第２ユーザＵ２１に関する情報を選択装置１００へ送信する。
【００１５】
図１に示す例においては、選択装置１００は、第２ユーザに関する情報として送付物の送付に必要な情報を第１ユーザから受け付ける。例えば、選択装置１００は、第２ユーザ２１に関する情報としてはがきの送付先（宛名）として掲載される情報を第１ユーザＵ１１から受け付ける。具体的には、選択装置１００は、第２ユーザに関する情報として第２ユーザの氏名や住所を第１ユーザから受け付ける。図１に示す例においては、第１ユーザＵ１１が、ステップＳ１３において第２ユーザに関する情報として第２ユーザＵ２１の情報を選択装置１００に送信し、選択装置１００に第２ユーザＵ２１に関する情報が登録された場合を基に説明する。
【００１６】
また、選択装置１００は、第２ユーザに関する情報として第２ユーザの氏名や住所に加えて、第２ユーザに関する情報を受け付ける。図１に示す例においては、選択装置１００は、第２ユーザに関する情報として第２ユーザの年齢に関する情報として第２ユーザが６０代であることを示す情報を受け付ける。また、選択装置１００は、第２ユーザに関する情報として第２居住地に関する情報として第２ユーザが地域Ａに居住していることを示す情報を受け付ける。なお、選択装置１００は、第２ユーザの住所から居住地域を判定してもよい。また、選択装置１００は、目的に応じて種々の情報を第２ユーザに関する情報として受け付けてもよいが、詳細は後述する。
【００１７】
その後、選択装置１００は、第１ユーザから画像情報を受け付ける（ステップＳ１４）。図１に示す例においては、選択装置１００は、端末装置１０から画像情報ＧＣ１１を受け付ける。なお、図１に示す例において、選択装置１００は、端末装置１０から画像情報ＧＣ１１を受け付けることにより、画像情報ＧＣ１１を掲載したはがきの送付依頼（以下、「配送依頼」ともいう）を受け付けたものとする。なお、選択装置１００は、はがきの送付依頼を画像情報とは別に受け付けてもよい。その後、選択装置１００は、第１ユーザへの送付依頼完了通知メールとともに広告を第１ユーザが利用する端末装置１０に送信する（ステップＳ１５）。例えば、選択装置１００は、第１ユーザに関する情報に基づいて選択した広告を、第１ユーザが利用する端末装置１０へ広告を送信する。そして、第１ユーザの端末装置１０には、送付依頼完了通知メールとともに広告が表示される。これにより、選択装置１００は、第１ユーザと第２ユーザとの両方に広告を提供することができる。
【００１８】
また、選択装置１００は、送付先に関する指定を受け付けてもよい。例えば、選択装置１００は、第１ユーザが登録した第２ユーザに関する情報が複数ある場合、いずれの第２ユーザの住所にはがきを送付するかを第１ユーザに選択させてもよい。例えば、選択装置１００は、第１ユーザが登録した第２ユーザに関する情報が複数ある場合、第１ユーザが利用する端末装置１０に第２ユーザを選択させる情報を表示させてもよい。そして、選択装置１００は、端末装置１０から第２ユーザの選択に関する情報を受け付けてもよい。図１に示す例においては、第１ユーザＵ１１が第２ユーザＵ２１の情報のみを第２ユーザに関する情報として登録しているため、選択装置１００は、第２ユーザＵ２１の住所を送付先とするものとして以下説明する。
【００１９】
第１ユーザＵ１１の利用する端末装置１０から画像情報ＧＣ１１を受け付けた選択装置１００は、送付先となる第２ユーザＵ２１に関する情報に基づいて、はがきに画像情報ＧＣ１１とともに掲載される広告コンテンツを選択する（ステップＳ１６）。例えば、選択装置１００は、第２ユーザＵ２１に関する情報が条件を満たす広告コンテンツを、第２ユーザＵ２１に送付されるはがきに画像情報ＧＣ１１とともに掲載される広告コンテンツとして選択する。このように、選択装置１００は、送付先である第２ユーザに関する情報に基づいて、広告を選択する。
【００２０】
図１に示す例において、第２ユーザＵ２１は６０代であるため、広告コンテンツＡＣ１１の条件に含まれる年齢「２０代」を満たさない。また、第２ユーザＵ２１は居住地域が「地域Ａ」であるため、広告コンテンツＡＣ１３の条件に含まれる地域「地域Ｂ」を満たさない。一方、図１に示す例において、第２ユーザＵ２１は地域Ａに居住しているため、広告コンテンツＡＣ１２の条件に含まれる地域「地域Ａ」を満たす。また、第２ユーザＵ２１は６０代であるため、広告コンテンツＡＣ１２の条件に含まれる年齢「６０代以上」を満たす。そのため、図１に示す例において、選択装置１００は、第２ユーザＵ２１に送付されるはがきに画像情報ＧＣ１１とともに掲載される広告コンテンツとして、広告コンテンツＡＣ１２を選択する。
【００２１】
その後、選択装置１００は、例えば、選択装置１００の管理者に所定の方法により、画像情報ＧＣ１１とともに掲載される広告コンテンツとして、広告コンテンツＡＣ１２を選択したことを通知する。これにより、選択装置１００の管理者は、画像情報ＧＣ１１とともに広告コンテンツＡＣ１２が掲載されたはがきをプリンタ等により印刷する。なお、選択装置１００は、プリンタ等と通信することにより、画像情報ＧＣ１１とともに広告コンテンツＡＣ１２が掲載されたはがきをプリンタ等に印刷させてもよい。図１に示す例において、上部に画像情報ＧＣ１１が配置され、下部に広告コンテンツＡＣ１２が配置されたはがきＰＣ１１が印刷される。
【００２２】
その後、例えば、選択装置１００の管理者は、所定の配送業者ＤＣ１１にはがきＰＣ１１の配送を依頼する（ステップＳ１７）。具体的には、選択装置１００の管理者は、配送業者ＤＣ１１にはがきＰＣ１１を第２ユーザＵ２１の住所に送付するように依頼する。なお、選択装置１００は、上部に画像情報ＧＣ１１が配置され、下部に広告コンテンツＡＣ１２が配置された画像情報や第１ユーザＵ１１や第２ユーザＵ２１の住所や氏名に関する情報を配送業者ＤＣ１１の情報処理装置に送信することにより、配送業者ＤＣ１１にはがきＰＣ１１を印刷させてもよい。
【００２３】
その後、配送業者ＤＣ１１は、はがきＰＣ１１を第２ユーザＵ２１の住所に配送する（ステップＳ１８）。これにより、第２ユーザＵ２１は、画像情報ＧＣ１１とともにバスツアーＡに関する広告コンテンツＡＣ１２を閲覧する。
【００２４】
上述したように、選択装置１００は、送付先である第２ユーザに関する情報に基づいて広告を選択する。このように、選択装置１００は、送付物を受け取り閲覧する第２ユーザに適した広告を選択する。したがって、選択装置１００は、送付物に画像とともに掲載される広告を適切に選択することができる。そして、選択装置１００により選択された広告が第２ユーザに送付されるはがきに画像情報とともに掲載される。そして、第２ユーザは、画像情報とともに選択装置１００により選択された広告が掲載されたはがきを受け取り、そのはがきを見る。このように、第２ユーザは、画像情報とともに自身の情報に基づいて選択された広告を閲覧する。すなわち、第２ユーザは、画像情報とともに自身に適した広告を閲覧する。これにより、選択システム１は、広告効果を向上させることができる。
【００２５】
なお、選択装置１００は、第２ユーザが広告主により指定された条件を全て満たす広告が無かった場合、最も条件を満たす広告コンテンツをその第２ユーザに送付される送付物に画像とともに掲載される広告として選択してもよい。これにより、選択装置１００は、どのような第２ユーザに対しても適切な広告を選択することができる。
【００２６】
また、選択装置１００は、第２ユーザが広告主により指定された条件を全て満たす広告が複数あった場合、広告の掲載料（以下、「広告料金」とする場合がある）選択装置１００は、送付物の第２ユーザへの配送までに要する費用以上の広告料金が得られる広告を、送付物に画像とともに掲載される広告として選択してもよい。これにより、選択システム１は、広告料収入により送付物を無料で第２ユーザへ配送することができる。これにより、選択システム１は、ユーザによる費用負担をなくすことによりユーザの満足度を高め、利用するユーザを増やすことができる。また、選択装置１００は、第２ユーザ自身から第２ユーザに関する情報を受け付けてもよい。この場合、選択装置１００は、第２ユーザから第１ユーザを指定する情報を受け付けてもよい。なお、選択装置１００は、所定の期間において設定される上限数に基づいて、第１ユーザから配送依頼を受け付けてもよい。これにより、選択装置１００は、上限数を超えた第１ユーザから配送依頼を受け付けた場合、送付物の配送を断ることや、送付物（はがき）における画像の表示領域のサイズを制限することができる。すなわち、選択装置１００は、第１ユーザから送付物の送付依頼数の上限値の設定が可能であってもよい。この場合、選択装置１００は、第１ユーザからの送付依頼数が設定した上限数を超えた場合等、はがきにおける画像の表示領域のサイズを制限してもよい。また、選択装置１００は、第１ユーザの属性に基づいて、はがきにおける画像の表示領域のサイズを制限してもよい。例えば、選択装置１００は、第１ユーザが法人等である場合、はがきにおける画像の表示領域のサイズを制限してもよい。例えば、選択装置１００は、第１ユーザが営利を目的とするものを営利法人である場合、はがきにおける画像の表示領域のサイズを制限してもよい。具体的には、選択装置１００は、第１ユーザが営利法人である場合、はがきにおける画像の表示領域のサイズを制限してもよい。図１に示す例において、第１ユーザが営利法人である場合、選択装置１００は、はがきＰＣ１１中の画像情報ＧＣ１１が配置された領域に広告を掲載し、広告コンテンツＡＣ１２が配置された領域に第１ユーザが登録した画像を掲載してもよい。また、選択装置１００は、第１ユーザが営利法人である場合、はがきにおける画像の表示領域のサイズを広告の表示領域のサイズよりも小さくしてもよい。これにより、選択装置１００は、営利目的の法人等が第１ユーザとして選択システム１を利用することを抑制できる。
【００２７】
〔２．選択システムの構成〕
図２に示すように、選択システム１は、端末装置１０と、選択装置１００と、広告主端末５０とが含まれる。端末装置１０と、選択装置１００と、広告主端末５０とは所定のネットワークＮを介して、有線または無線により通信可能に接続される。なお、図２に示した選択システム１には、複数台の端末装置１０や、複数台の選択装置１００や、複数台の広告主端末５０が含まれてもよい。
【００２８】
端末装置１０は、ユーザによって利用される情報処理装置である。端末装置１０は、ユーザによる操作に従って、選択処理に関するアプリを起動する。なお、以下では、端末装置１０をユーザと表記する場合がある。すなわち、以下では、ユーザを端末装置１０と読み替えることもできる。図１に示す例においては、端末装置１０がスマートフォンである場合を例示したが、端末装置１０は、スマートフォンに限らず、例えば、タブレット型端末や、ノート型ＰＣ（Personal  Computer）や、デスクトップ型ＰＣや、携帯電話機や、ＰＤＡ（Personal  Digital  Assistant）等により実現される。
【００２９】
選択装置１００は、第１ユーザから画像を受け付け、第１ユーザ以外の第２ユーザに関する情報に基づいて、前記第２ユーザに送付される送付物に前記画像とともに掲載される広告を選択する情報処理装置である。
【００３０】
広告主端末５０は、広告主によって利用される情報処理装置である。例えば、広告主端末５０は、デスクトップ型ＰＣや、ノート型ＰＣや、タブレット型端末や、携帯電話機や、スマートフォンや、ＰＤＡ等、種々の情報処理装置であってもよい。また、広告主端末５０は、広告主による操作に従って、広告コンテンツを選択装置１００に入稿する。例えば、広告主端末５０は、はがきに印刷される広告コンテンツとして、静止画像を選択装置１００に入稿する。また、広告主端末５０は、広告を掲載する対象（ユーザ）に関する条件を選択装置１００に送信する。
【００３１】
なお、広告主は、広告コンテンツの入稿を代理店に依頼する場合がある。この場合、選択装置１００に広告コンテンツを入稿するのは代理店となる。以下では、「広告主」といった表記は、広告主だけでなく代理店を含む概念であり、「広告主端末」といった表記は、広告主端末５０だけでなく代理店によって利用される代理店装置を含む概念であるものとする。
【００３２】
〔３．選択装置の構成〕
次に、図３を用いて、実施形態に係る選択装置１００の構成について説明する。図３は、実施形態に係る選択装置１００の構成例を示す図である。図３に示すように、選択装置１００は、通信部１１０と、記憶部１２０と、制御部１３０とを有する。なお、選択装置１００は、選択装置１００の管理者等から各種操作を受け付ける入力部（例えば、キーボードやマウス等）や、各種情報を表示するための表示部（例えば、液晶ディスプレイ等）を有してもよい。
【００３３】
（通信部１１０）
通信部１１０は、例えば、ＮＩＣ（Network  Interface  Card）等によって実現される。そして、通信部１１０は、ネットワークと有線または無線で接続され、端末装置１０や広告主端末５０との間で情報の送受信を行う。
【００３４】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図３に示すように、第１ユーザ情報記憶部１２１と、第２ユーザ情報記憶部１２２と、広告情報記憶部１２３とを有する。
【００３５】
（第１ユーザ情報記憶部１２１）
実施形態に係る第１ユーザ情報記憶部１２１は、第１ユーザに関する情報を記憶する。図４には、第１ユーザ情報記憶部１２１に記憶される第１ユーザに関する情報の一例を示す。図４に示すように、第１ユーザ情報記憶部１２１は、第１ユーザに関する情報として、「ユーザＩＤ」、「氏名」、「住所」といった項目が含まれる。
【００３６】
「ユーザＩＤ」は、ユーザを識別するための識別情報を示す。例えば、ユーザＩＤ「Ｕ１１」により識別されるユーザ（以下、第１ユーザＵ１１とする場合がある）は、図１の例に示したユーザに対応する。「氏名」は、ユーザＩＤにより識別されるユーザの氏名を示す。また、「住所」は、ユーザＩＤにより識別されるユーザの住所を示す。
【００３７】
例えば、図４に示す例において、ユーザＩＤ「Ｕ１２」により識別されるユーザの氏名は、「佐藤花子」であり、住所は、「Ｅ県Ｆ市Ｇ町Ｈ」であることを示す。また、例えば、図４に示す例において、ユーザＩＤ「Ｕ１３」により識別されるユーザの氏名は、「高橋一郎」であり、住所は、「Ａ県Ｂ市Ｉ町Ｊ」であることを示す。
【００３８】
なお、第１ユーザ情報記憶部１２１は、上記は第１ユーザに関する情報の一例であって、第１ユーザに関する情報であれば目的に応じて種々の情報を記憶してもよい。例えば、第１ユーザ情報記憶部１２１は、第１ユーザの年齢や性別に関する情報などを記憶してもよい。
【００３９】
（第２ユーザ情報記憶部１２２）
実施形態に係る第２ユーザ情報記憶部１２２は、第２ユーザに関する情報を記憶する。図５には、第２ユーザ情報記憶部１２２に記憶される第２ユーザに関する情報の一例を示す。図５に示すように、第２ユーザ情報記憶部１２２は、第２ユーザに関する情報として、「登録ユーザ」、「ユーザＩＤ」、「氏名」、「住所」、「年齢」、「性別」、「家族構成」、「職業」、「所得額」といった項目が含まれる。
【００４０】
「登録ユーザ」は、第２ユーザに関する情報を登録したユーザを識別するための識別情報を示す。「ユーザＩＤ」は、ユーザを識別するための識別情報を示す。例えば、ユーザＩＤ「Ｕ２１」により識別されるユーザ（以下、第２ユーザＵ２１とする場合がある）は、図１の例に示したユーザに対応する。「氏名」は、ユーザＩＤにより識別されるユーザの氏名を示す。また、「住所」は、ユーザＩＤにより識別されるユーザの住所を示す。また、「年齢」は、ユーザＩＤにより識別されるユーザの年齢を示す。また、「性別」は、ユーザＩＤにより識別されるユーザの性別を示す。また、「家族構成」は、ユーザＩＤにより識別されるユーザの家族構成を示す。なお、「家族構成」については、目的に応じて種々の情報が記憶されてもよい。また、「職業」は、ユーザＩＤにより識別されるユーザの職業を示す。また、「所得額」は、ユーザＩＤにより識別されるユーザの年間の所得額を示す。
【００４１】
例えば、図５に示す例において、ユーザＩＤ「Ｕ２１」により識別されるユーザに関する情報、ユーザＩＤ「Ｕ２２」により識別されるユーザに関する情報、及びユーザＩＤ「Ｕ２３」により識別されるユーザに関する情報は、ユーザＩＤ「Ｕ１１」により識別されるユーザである第１ユーザＵ１１により登録されたことを示す。
【００４２】
例えば、図５に示す例において、ユーザＩＤ「Ｕ２１」により識別されるユーザ（第２ユーザＵ２１）の氏名は、「山田一」であり、住所は、「Ｋ県Ｌ市Ｍ町Ｎ」であることを示す。また、例えば、図５に示す例において、第２ユーザＵ２１の年齢は、「６５」歳であり、性別は、「男」であることを示す。また、例えば、図５に示す例において、第２ユーザＵ２１の家族構成は、「一人暮らし」であり、職業及び所得額は、「−」（未登録）であることを示す。
【００４３】
なお、第２ユーザ情報記憶部１２２は、上記は第２ユーザに関する情報の一例であって、第２ユーザに関する情報であれば目的に応じて種々の情報を記憶してもよい。例えば、第２ユーザ情報記憶部１２２は、趣味や関心に関する情報などを記憶してもよい。
【００４４】
（広告情報記憶部１２３）
実施形態に係る広告情報記憶部１２３は、広告に関する各種情報を記憶する。図６に、実施形態に係る広告情報記憶部１２３の一例を示す。図６に示す広告情報記憶部１２３は、「広告ＩＤ」、「広告コンテンツ」、「広告主ＩＤ」、「商品」、「条件」、「掲載料」といった項目を有する。
【００４５】
「広告ＩＤ」は、広告を識別するための識別情報を示す。「広告コンテンツ」は、広告主から入稿された広告コンテンツを示す。図６に示す例において、広告ＩＤ「Ａ１１」の広告の広告コンテンツは、広告コンテンツＡＣ１１である。図６では「広告コンテンツ」に「ＡＣ１１」といった概念的な情報が格納される例を示したが、実際には、静止画像、または、これらの格納場所を示すファイルパス名などが格納される。「広告主ＩＤ」は、広告主を識別するための識別情報を示す。図６に示す例において、広告ＩＤ「Ａ１１」の広告の広告主は、広告主ＩＤ「ＡＰ１」により識別される広告主である。「商品」は、広告の対象となる商品や役務等の名称を示す。図６に示す例において、広告ＩＤ「Ａ１１」の広告は、商品「車」に関する広告であることを示す。なお、商品に関する情報としては「商品」に限らず、各商品を識別するための「商品ＩＤ」等の情報を記憶してもよい。
【００４６】
「条件」は、対応する広告コンテンツを掲載する対象（ユーザ）に関する条件を示す。「条件」には、「地域」、「年齢」、「性別」、「所得額」、「家族構成」、「職業」といった項目を有する。図６に示す例において、広告コンテンツＡＣ１１を掲載する対象に関する条件は、年齢が「２０代」、性別が「男」、家族構成が「未婚」、職業が「会社員」等の複数の条件が含まれることを示す。また、図６に示す例において、広告コンテンツＡＣ１１を掲載する対象に関する条件は、地域、所得額等については条件が未登録であることを示す。
【００４７】
「掲載料」は、対応する広告ＩＤにより識別される広告コンテンツが掲載された場合に広告主が支払う広告料金を示す。例えば、図６に示す例において、広告ＩＤ「Ａ１２」により識別される広告コンテンツＡＣ１２が掲載された場合に、広告主ＡＰ２が支払う広告料金は「Ｂ円」であることを示す。
【００４８】
なお、広告情報記憶部１２３は、上記に限らず、目的に応じて種々の情報を記憶してもよい。例えば、広告情報記憶部２２３は、掲載期間に関する情報を記憶してもよい。例えば、広告情報記憶部２２３は、掲載に関する情報として、掲載を希望する期間等に関する情報を記憶してもよい。
【００４９】
（制御部１３０）
図３の説明に戻って、制御部１３０は、例えば、ＣＰＵ（Central  Processing  Unit）やＭＰＵ（Micro  Processing  Unit）等によって、選択装置１００内部の記憶装置に記憶されている各種プログラム（選択プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００５０】
図３に示すように、制御部１３０は、受付部１３１と、選択部１３２と、送信部１３３とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００５１】
（受付部１３１）
受付部１３１は、第１ユーザから画像を受け付ける。例えば、受付部１３１は、第１ユーザが利用する端末装置１０から画像情報を受け付ける。また、受付部１３１は、第１ユーザから第２ユーザに関する情報を受け付ける。例えば、受付部１３１は、第１ユーザが利用する端末装置１０から第２ユーザに関する情報を受け付ける。
【００５２】
また、受付部１３１は、広告主から広告コンテンツの入稿を受け付ける。例えば、受付部１３１は、広告主が利用する広告主端末５０から広告コンテンツの入稿を受け付ける。また、受付部１３１は、広告主から広告コンテンツの掲載に関する条件を受け付ける。例えば、受付部１３１は、広告主が利用する広告主端末５０から広告コンテンツの掲載に関する条件を受け付ける。
【００５３】
また、受付部１３１は、広告主から広告主の広告を掲載する広告料金に関する情報を受け付ける。また、受付部１３１は、広告主から広告主の広告を掲載する送付物の送付先となる第２ユーザに関する指定を受け付ける。また、受付部１３１は、広告主から広告主の広告とともに掲載する画像に関する指定を受け付ける。また、受付部１３１は、広告主から広告主の広告とともに掲載を希望しない画像に関する指定を受け付ける。また、受付部１３１は、広告主から広告主の広告を配信する第１ユーザに関する情報に対して指定を受け付ける。なお、受付部１３１は、第１ユーザおよび第２ユーザに関わらず広告を提供するユーザに関する情報に対する指定を受け付けてもよい。また、受付部１３１は、所定の期間において設定される上限数に基づいて、第１ユーザから配送依頼を受け付ける。これにより、選択装置１００は、上限数を超えた第１ユーザから配信以来を受け付けた場合、送付物の配送を断ることや、送付物（はがき）における画像の表示領域のサイズを制限することができる。
【００５４】
（選択部１３２）
選択部１３２は、第１ユーザ以外の第２ユーザに関する情報に基づいて、第２ユーザに送付される送付物に画像とともに掲載される広告を選択する。また、選択部１３２は、第２ユーザに関する情報に加えて、第１ユーザに関する情報に基づいて、広告を選択する。
【００５５】
また、選択部１３２は、受付部１３１による画像の受付けから、送付物の第２ユーザへの配送までに要する費用以上の広告料金が得られる広告を選択する。また、選択部１３２は、受付部１３１により受け付けられた第２ユーザに関する指定に基づいて、画像とともに掲載する広告を選択する。また、選択部１３２は、受付部１３１により受け付けられた画像に関する指定に基づいて、画像とともに掲載する広告を選択する。また、選択部１３２は、受付部１３１により受け付けられた画像に関する指定に該当しない画像とともに掲載する広告として、広告主の広告を選択する。
【００５６】
（送信部１３３）
例えば、送信部１３３は、選択装置１００の管理者が利用する所定の携帯端末に画像とともに掲載される広告コンテンツを選択したことを通知する情報を送信する。また、例えば、送信部１３３は、画像や広告コンテンツや第１ユーザに関する情報や第２ユーザに関する情報を配送業者ＤＣ１１の情報処理装置に送信する。また、送信部１３３は、送付物の配送依頼を受け付けた際に、第１ユーザに配送依頼完了通知とともに広告を第１ユーザが利用する端末装置１０に送信する。また、送信部１３３は、受付部１３１により受け付けられた指定に基づく広告を、第１ユーザに配送依頼完了通知とともに端末装置１０に送信する。例えば、送信部１３３は、広告情報記憶部１２３に記憶された広告のうち、広告主から広告主の広告を配信する第１ユーザに関する情報に対して指定（条件）を満たす、広告を第１ユーザに配送依頼完了通知とともに端末装置１０に送信する。図６に示す例において、送信部１３３は、第１ユーザの年齢が２０代である場合、広告情報記憶部１２３に記憶された広告のうち、広告ＩＤ「Ａ１１」により識別される広告コンテンツＡＣ１１に対応する広告を第１ユーザに配送依頼完了通知とともに端末装置１０に送信する。
【００５７】
〔４．端末装置の構成〕
次に、図７を用いて、実施形態に係る端末装置１０の構成について説明する。図７は、実施形態に係る端末装置１０の構成例を示す図である。図７に示すように、端末装置１０は、通信部１１と、記憶部１２と、入力部１３と、出力部１４と、制御部１５とを有する。
【００５８】
（通信部１１）
通信部１１は、例えば、通信回路等によって実現される。そして、通信部１１は、図示しない所定のネットワークと有線または無線で接続され、選択装置１００や広告主端末５０との間で情報の送受信を行う。
【００５９】
（記憶部１２）
記憶部１２は、例えば、ＲＡＭ、フラッシュメモリ等の半導体メモリ素子、または、ハードディスク、光ディスク等の記憶装置によって実現される。記憶部１２は、例えば、端末装置１０にインストールされているアプリケーションに関する情報、例えばプログラム等を記憶する。
【００６０】
（入力部１３）
入力部１３は、ユーザからの各種操作を受け付ける。例えば、入力部１３は、タッチパネル機能により表示面を介してユーザからの各種操作を受け付けてもよい。また、入力部１３は、端末装置１０に設けられたボタンや、端末装置１０に接続されたキーボードやマウスからの各種操作を受け付けてもよい。
【００６１】
（出力部１４）
出力部１４は、例えば液晶ディスプレイや有機ＥＬ（Electro-Luminescence）ディスプレイ等によって実現されるタブレット端末等の表示画面であり、各種情報を表示するための表示装置である。
【００６２】
（制御部１５）
制御部１５は、例えば、ＣＰＵやＭＰＵ等によって、端末装置１０内部の記憶部１２などの記憶装置に記憶されている各種プログラムがＲＡＭを作業領域として実行されることにより実現される。例えば、この各種プログラムは、インストールされているアプリケーションのプログラムが含まれる。また、制御部１５は、例えば、ＡＳＩＣやＦＰＧＡ等の集積回路により実現される。
【００６３】
図７に示すように、制御部１５は、送信部１５１と、受信部１５２と、表示部１５３とを有し、以下に説明する選択処理の機能や作用を実現または実行する。なお、制御部１５の内部構成は、図７に示した構成に限られず、後述する選択処理を行う構成であれば他の構成であってもよい。また、制御部１５が有する各処理部の接続関係は、図７に示した接続関係に限られず、他の接続関係であってもよい。
【００６４】
送信部１５１は、送付物に掲載する画像を選択装置１００へ送信する。また、送信部１５１は、第２ユーザに関する情報を選択装置１００へ送信する。受信部１５２は、選択装置１００から送信された各種情報を受信する。表示部１５３は、選択装置１００から送信された各種情報を表示する。表示部１５３は、端末装置１０において起動された選択処理に関するアプリを表示する。例えば、受信部１５２は、端末装置１０を利用する第１ユーザが登録した第２ユーザに関する情報が複数ある場合、第２ユーザを選択させる情報を受信する。表示部１５３は、受信部１５２により受信された第２ユーザを選択させる情報を表示する。そして、送信部１５１は、端末装置１０を利用するユーザの選択に基づいて、第２ユーザの選択に関する情報を選択装置１００へ送信する。
【００６５】
なお、上述した制御部１５による選択処理等の処理は、例えば、ＪａｖａＳｃｒｉｐｔ（登録商標）などにより実現されてもよい。また、上述した広告の表示に関する処理が専用アプリにより行われる場合、制御部１５は、例えば、所定のアプリや専用アプリを制御するアプリ制御部を有してもよい。
【００６６】
〔５．選択処理のフロー〕
次に、図８を用いて、実施形態に係る選択システム１による選択処理の手順について説明する。図８は、実施形態に係る選択処理の一例を示すフローチャートである。
【００６７】
図８に示すように、選択装置１００の受付部１３１は、広告主から広告及び条件を受け付ける（ステップＳ１０１）。また、受付部１３１は、第１ユーザから第１ユーザ（送付元）に関する情報を受け付ける（ステップＳ１０２）。また、受付部１３１は、第１ユーザから第２ユーザ（送付先）に関する情報を受け付ける（ステップＳ１０３）。
【００６８】
その後、受付部１３１は、画像情報を受け付ける（ステップＳ１０４）。このとき受付部１３１は、例えば、送付物の送付依頼も受け付ける。そして、選択装置１００の選択部１３２は、ステップ１０３において受け付けた第２ユーザに関する情報と、ステップ１０１において受け付けた広告主が指定する条件とに基づいて、広告を選択する（ステップＳ１０５）。
【００６９】
〔６．選択システムの概要〕
次に、図９を用いて、実施形態に係る選択システム１の概要について説明する。図９は、実施形態に係る選択システムの概要を示す図である。
【００７０】
まず、選択システム１においては、多数の広告主ＡＤ１１が自身の広告を掲載する対象の条件ＴＩ１１に対応付けて広告を選択装置１００に入稿する（ステップＳ２０１）。
【００７１】
そして、選択システム１においては、各ユーザＡ〜Ｃは、各々の送付元である第２ユーザに関する情報を選択装置１００に登録する。具体的には、図９に示す例において、第１ユーザであるユーザＡは、第２ユーザに関する情報ＤＩ１１を選択装置１００に登録する（ステップＳ２０２）。また、図９に示す例において、第１ユーザであるユーザＢは、第２ユーザに関する情報ＤＩ１２を選択装置１００に登録する（ステップＳ２０３）。また、図９に示す例において、第１ユーザであるユーザＣは、第２ユーザに関する情報ＤＩ１３を選択装置１００に登録する（ステップＳ２０４）。つまり、この場合、ユーザＡ〜Ｃは、第１ユーザとなる。このように、選択システム１においては、多数の第１ユーザが自身の送付元となる第２ユーザを選択装置１００に登録する。
【００７２】
そして、図９に示す例においては、ユーザＡが画像を選択装置１００へ送信し、送付物の送付依頼を行う。例えば、ユーザＡは、画像ＧＣ１２を選択装置１００へ送信し、送付物の送付依頼を行う。この場合、選択装置１００は、例えば、ユーザＡが登録した第２ユーザに関する情報ＤＩ１１と、広告主ＡＤ１１が登録した条件ＴＩ１１とに基づいて、画像ＧＣ１２とともに送付物に掲載する広告を選択する（ステップＳ２０６）。図９に示す例においては、選択装置１００は、画像ＧＣ１２とともに送付物に掲載する広告として広告コンテンツＡＣ１０を選択する。これにより、図９に示す例において、上部に画像情報ＧＣ１２が配置され、下部に広告コンテンツＡＣ１０が配置されたはがきＰＣ１２が印刷される。そして、はがきＰＣ１２が、第２ユーザに関する情報ＤＩ１１に基づく住所へ配送される。このように、選択システム１においては、多数の広告主の条件と、多数の第１ユーザが登録した送付先である第２ユーザに関する情報に基づいて、広告を選択する。これにより、第２ユーザに送付される送付物には第２ユーザに適した広告が掲載される。したがって、選択システム１は、広告効果を向上させることができる。
【００７３】
〔７．変形例〕
上述した実施形態に係る選択システム１は、第２ユーザに関する情報に基づいて広告を選択する場合を示したが、上記実施形態以外にも種々の異なる形態にて実施されてよい。例えば、変形例に係る選択システムの選択装置は、第１ユーザと第２ユーザとの関係に関する情報に基づいて、広告を選択してもよい。また、例えば、変形例に係る選択システムの選択装置は、画像の解析に関する情報に基づいて、広告を選択してもよい。そこで、以下では、選択システム１の他の実施形態について説明する。なお、実施形態と同一部分には、同一符号を付して説明を省略する。また、実施形態の構成と対応する構成については同一名称にすることにより重複する説明を適宜省略する。
【００７４】
〔７−１．選択処理〕
まず、図１０を用いて、実施形態に係る選択処理の一例について説明する。図１０は、変形例に係る選択処理の一例を示す図である。図１０に示す選択装置２００は、第１ユーザが第２ユーザ宛に送付を依頼する送付物に掲載する画像を受け付ける。また、以下の例では、送付物ははがきであり、はがきの裏側に第１ユーザから受け付けた画像を掲載する場合を説明する。また、以下の例では、はがきの裏側に画像とともに掲載する広告の選択を選択装置２００が行う場合を示す。
【００７５】
まず、図１０に示す例において、選択装置２００は、複数の広告主端末５０から広告の入稿を受け付ける（ステップＳ２１）。また、選択装置２００は、例えばステップＳ２１において、広告コンテンツに加えて、その広告コンテンツを掲載する対象（ユーザ）に関する条件も広告主端末５０から受け付ける。例えば、図１０に示す例において、選択装置２００は、バスツアーに関する広告コンテンツＡＣ１２に関する条件として、広告コンテンツＡＣ１２とともに掲載する画像を「風景」とする条件を、広告コンテンツＡＣ１２の広告主から受け付ける。また、選択装置２００は、バスツアーに関する広告コンテンツＡＣ１２に関する条件として、広告コンテンツＡＣ１２を掲載するはがきの送付元である第１ユーザと送付先である第２ユーザとの関係を「友人」とする条件を、広告コンテンツＡＣ１２の広告主から受け付ける。このように、選択装置２００は、各広告主からその広告主が入稿した広告コンテンツを見せたい対象に関する条件を受け付ける。
【００７６】
そして、選択装置２００は、第１ユーザから第１ユーザに関する情報を受け付ける（ステップＳ２２）。例えば、第１ユーザＵ１１は、端末装置１０にインストールされた選択処理に関するアプリにより、第１ユーザＵ１１に関する情報を選択装置２００へ送信する。この場合、第１ユーザは、選択処理に関するアプリがインストールされた端末装置１０を用いて、選択装置２００との間で情報の送受信を行う。
【００７７】
図１０に示す例においては、選択装置２００は、第１ユーザに関する情報として送付物の送付に必要な情報を第１ユーザから受け付ける。例えば、選択装置２００は、第１ユーザＵ１１に関する情報として送付物であるはがきの送付元（差出人）として掲載される情報を第１ユーザＵ１１から受け付ける。具体的には、選択装置２００は、第１ユーザＵ１１に関する情報として第１ユーザＵ１１の氏名や住所を第１ユーザＵ１１から受け付ける。また、選択装置２００は、第１ユーザＵ１１に関する情報として第１ユーザＵ１１の家族構成に関する情報を受け付ける。図１０に示す例においては、選択装置２００は、家族構成に関する情報として第１ユーザＵ１１に子供がいることを示す情報を、端末装置１０から受け付けた場合を例に以下説明する。
【００７８】
また、図１０に示す例において、選択装置２００は、第１ユーザから第２ユーザに関する情報を受け付ける（ステップＳ２３）。例えば、第１ユーザＵ１１は、端末装置１０にインストールされた選択処理に関するアプリにより、第２ユーザに関する情報を選択装置２００へ送信する。図１０に示す例においては、選択装置２００は、第２ユーザに関する情報として送付物の送付に必要な情報を第１ユーザから受け付ける。例えば、選択装置２００は、第２ユーザに関する情報としてはがきの送付先（宛名）として掲載される情報を第１ユーザＵ１１から受け付ける。具体的には、選択装置２００は、第２ユーザに関する情報として第２ユーザＵ２１の氏名や住所を第１ユーザＵ１１から受け付ける。図１０に示す例においては、第１ユーザＵ１１が、ステップＳ２３において第２ユーザに関する情報として第２ユーザＵ２１の情報を選択装置２００に送信し、選択装置２００に第２ユーザＵ２１に関する情報が登録された場合を基に説明する。
【００７９】
また、選択装置２００は、第２ユーザに関する情報として第２ユーザの氏名や住所に加えて、第２ユーザに関する情報を受け付ける。図１０に示す例においては、選択装置２００は、第２ユーザに関する情報として第２ユーザの第１ユーザとの関係を示す情報を受け付ける。具体的には、選択装置２００は、第２ユーザに関する情報として第２ユーザの第１ユーザとの関係が親子関係であることを示す情報を受け付ける。
【００８０】
その後、選択装置２００は、第１ユーザから画像情報を受け付ける（ステップＳ２４）。図１０に示す例においては、選択装置２００は、端末装置１０から画像情報ＧＣ１１を受け付ける。なお、図１０に示す例において、選択装置２００は、端末装置１０から画像情報ＧＣ１１を受け付けることにより、画像情報ＧＣ１１を掲載したはがきの送付依頼を受け付けたものとする。なお、選択装置２００は、はがきの送付依頼を画像情報とは別に受け付けてもよい。その後、選択装置２００は、第１ユーザへの送付依頼完了通知メールとともに広告を第１ユーザが利用する端末装置１０に送信する（ステップＳ２５）。例えば、選択装置２００は、第１ユーザに関する情報に基づいて選択した広告を、第１ユーザが利用する端末装置１０へ広告を送信する。そして、第１ユーザの端末装置１０には、送付依頼完了通知メールとともに広告が表示される。これにより、選択装置２００は、第１ユーザと第２ユーザとの両方に広告を提供することができる。
【００８１】
また、選択装置２００は、送付先に関する指定を受け付けてもよい。例えば、選択装置２００は、第１ユーザが登録した第２ユーザに関する情報が複数ある場合、いずれの第２ユーザの住所にはがきを送付するかを第１ユーザに選択させてもよい。例えば、選択装置２００は、第１ユーザが登録した第２ユーザに関する情報が複数ある場合、第１ユーザが利用する端末装置１０に第２ユーザを選択させる情報を表示させてもよい。そして、選択装置２００は、端末装置１０から第２ユーザの選択に関する情報を受け付けてもよい。図１０に示す例においては、第１ユーザＵ１１が第２ユーザＵ２１の情報のみを第２ユーザに関する情報として登録しているため、選択装置２００は、第２ユーザＵ２１の住所を送付先とするものとして以下説明する。
【００８２】
ステップＳ２４において第１ユーザから画像情報を受け付けた後、選択装置２００は、第１ユーザから受け付けた画像情報を解析する（ステップＳ２６）。図１０に示す例においては、選択装置２００は、画像情報ＧＣ１１には２人の人間が含まれており、そのうち１人は子供であることを画像解析により判定する。そして、選択装置２００は、画像情報ＧＣ１１には子供が含まれることを示す情報に基づいて、以下の処理を行う。
【００８３】
第１ユーザＵ１１の利用する端末装置１０から画像情報ＧＣ１１を受け付けた選択装置２００は、送付先となる第２ユーザＵ２１に関する情報に基づいて、はがきに画像情報ＧＣ１１とともに掲載される広告コンテンツを選択する（ステップＳ２７）。例えば、選択装置２００は、第２ユーザＵ２１に関する情報が条件を満たす広告コンテンツを、第２ユーザＵ２１に送付されるはがきに画像情報ＧＣ１１とともに掲載される広告コンテンツとして選択する。このように、選択装置２００は、送付先である第２ユーザに関する情報に基づいて、広告を選択する。
【００８４】
図１０に示す例において、第２ユーザＵ２１と第１ユーザＵ１１との関係は親子関係であるため、広告コンテンツＡＣ１２の条件に含まれる関係「友人」を満たさない。一方、図１０に示す例において、第２ユーザＵ２１と第１ユーザＵ１１との関係は親子関係であるため、広告コンテンツＡＣ１４の条件に含まれる関係「親子」を満たす。また、画像情報ＧＣ１１には子供が含まれるため、広告コンテンツＡＣ１４の条件に含まれる画像「子供」を満たす。そのため、図１０に示す例において、選択装置２００は、第２ユーザＵ２１に送付されるはがきに画像情報ＧＣ１１とともに掲載される広告コンテンツとして、広告コンテンツＡＣ１４を選択する。なお、図１０に示す例において、第２ユーザＵ２１の第２ユーザに関する情報や画像情報ＧＣ１１は、広告コンテンツＡＣ１１や広告コンテンツＡＣ１２に満たさない条件が含まれ、最も条件を満たす広告コンテンツＡＣ１４を選択するものとして以下説明する。
【００８５】
その後、選択装置２００は、例えば、選択装置２００の管理者に所定の方法により、画像情報ＧＣ１１とともに掲載される広告コンテンツとして、広告コンテンツＡＣ１４を選択したことを通知する。これにより、選択装置２００の管理者は、画像情報ＧＣ１１とともに広告コンテンツＡＣ１４が掲載されたはがきをプリンタ等により印刷する。なお、選択装置２００は、プリンタ等と通信することにより、画像情報ＧＣ１１とともに広告コンテンツＡＣ１４が掲載されたはがきをプリンタ等に印刷させてもよい。図１０に示す例において、上部に画像情報ＧＣ１１が配置され、下部に広告コンテンツＡＣ１４が配置されたはがきＰＣ２１が印刷される。
【００８６】
その後、例えば、選択装置２００の管理者は、所定の配送業者ＤＣ２１にはがきＰＣ２１の配送を依頼する（ステップＳ２８）。具体的には、選択装置２００の管理者は、配送業者ＤＣ２１にはがきＰＣ２１を第２ユーザＵ２１の住所に送付するように依頼する。なお、選択装置２００は、上部に画像情報ＧＣ１１が配置され、下部に広告コンテンツＡＣ１４が配置された画像情報や第１ユーザＵ１１や第２ユーザＵ２１の住所や氏名に関する情報を配送業者ＤＣ２１の情報処理装置に送信することにより、配送業者ＤＣ２１にはがきＰＣ２１を印刷させてもよい。
【００８７】
その後、配送業者ＤＣ２１は、はがきＰＣ２１を第２ユーザＵ２１の住所に配送する（ステップＳ２９）。これにより、第２ユーザＵ２１は、画像情報ＧＣ１１とともにおもちゃＡに関する広告コンテンツＡＣ１４を閲覧する。
【００８８】
〔７−２．選択システムの構成〕
図１１に示すように、選択システム２は、端末装置１０と、選択装置２００と、広告主端末５０とが含まれる。端末装置１０と、選択装置２００と、広告主端末５０とは所定のネットワークＮを介して、有線または無線により通信可能に接続される。なお、図１１に示した選択システム２には、複数台の端末装置１０や、複数台の選択装置２００や、複数台の広告主端末５０が含まれてもよい。
【００８９】
選択装置２００は、第１ユーザから画像を受け付け、第１ユーザ以外の第２ユーザに関する情報に基づいて、前記第２ユーザに送付される送付物に前記画像とともに掲載される広告を選択する情報処理装置である。
【００９０】
〔７−３．選択装置の構成〕
次に、図１２を用いて、実施形態に係る選択装置２００の構成について説明する。図１２は、実施形態に係る選択装置２００の構成例を示す図である。図１２に示すように、選択装置２００は、通信部１１０と、記憶部２２０と、制御部２３０とを有する。なお、選択装置２００は、選択装置２００の管理者等から各種操作を受け付ける入力部（例えば、キーボードやマウス等）や、各種情報を表示するための表示部（例えば、液晶ディスプレイ等）を有してもよい。
【００９１】
（記憶部２２０）
記憶部２２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部２２０は、図１２に示すように、第１ユーザ情報記憶部２２１と、第２ユーザ情報記憶部２２２と、広告情報記憶部２２３とを有する。
【００９２】
（第１ユーザ情報記憶部２２１）
実施形態に係る第１ユーザ情報記憶部２２１は、第１ユーザに関する情報を記憶する。図１３には、第１ユーザ情報記憶部２２１に記憶される第１ユーザに関する情報の一例を示す。図１３に示すように、第１ユーザ情報記憶部２２１は、第１ユーザに関する情報として、「ユーザＩＤ」、「氏名」、「住所」、「家族構成」といった項目が含まれる。
【００９３】
「家族構成」は、ユーザＩＤにより識別されるユーザの家族構成を示す。図１３に示す例においては、「家族構成」として、住居及び生計を共にする者に関する情報を記憶する。また、上記の住居及び生計を共にする者は、住居及び生計を共にする者であれば血縁関係の有る者に限らなくてもよい。なお、「家族構成」については、目的に応じて種々の情報が記憶されてもよい。
【００９４】
例えば、図１３に示す例において、ユーザＩＤ「Ｕ１２」により識別されるユーザの氏名は、「佐藤花子」であり、住所は、「Ｅ県Ｆ市Ｇ町Ｈ」であり、家族構成は、「１人暮らし」であることを示す。また、第１ユーザ情報記憶部２２１は、上記は第１ユーザに関する情報の一例であって、第１ユーザに関する情報であれば目的に応じて種々の情報を記憶してもよい。例えば、第１ユーザ情報記憶部２２１は、第１ユーザの年齢や性別に関する情報などを記憶してもよい。
【００９５】
（第２ユーザ情報記憶部２２２）
実施形態に係る第２ユーザ情報記憶部２２２は、第２ユーザに関する情報を記憶する。図１４には、第２ユーザ情報記憶部２２２に記憶される第２ユーザに関する情報の一例を示す。図１４に示すように、第２ユーザ情報記憶部２２２は、第２ユーザに関する情報として、「登録ユーザ」、「ユーザＩＤ」、「氏名」、「住所」、「関係」、「年齢」、「性別」、「家族構成」、「職業」、「所得額」といった項目が含まれる。
【００９６】
「関係」は、第１ユーザと第２ユーザとの関係に関する情報を示す。例えば、図１４に示す例において、第１ユーザＵ１１である「山田太郎」と第２ユーザＵ２２である「田中二郎」との関係は、「友人」であることを示す。なお、「関係」については、目的に応じて種々の情報が記憶されてもよい。例えば、「関係」には、友人であっても「同窓（幼なじみ）」や「職場の友人」などどのような環境において形成された関係かを示す情報が記憶されてもよい。また、第２ユーザ情報記憶部２２２は、上記は第２ユーザに関する情報の一例であって、第２ユーザに関する情報であれば目的に応じて種々の情報を記憶してもよい。例えば、第２ユーザ情報記憶部２２２は、趣味や関心に関する情報などを記憶してもよい。
【００９７】
（広告情報記憶部２２３）
実施形態に係る広告情報記憶部２２３は、広告に関する各種情報を記憶する。図１５に、実施形態に係る広告情報記憶部２２３の一例を示す。図１５に示す広告情報記憶部２２３は、「広告ＩＤ」、「広告コンテンツ」、「広告主ＩＤ」、「商品」、「条件」、「掲載料」といった項目を有する。
【００９８】
「掲載料」は、対応する広告ＩＤにより識別される広告コンテンツが掲載された場合に広告主が支払う広告料金を示す。例えば、図１５に示す例において、広告ＩＤ「Ａ１１」により識別される広告コンテンツＡＣ１１が掲載された場合に、広告主ＩＤ「ＡＰ１」により識別される広告主が支払う広告料金は「Ａ円」であることを示す。
【００９９】
「条件」は、対応する広告コンテンツを掲載する対象（ユーザ）に関する条件を示す。「条件」には、「画像」、「地域」、「関係」、「年齢」、「性別」、「所得額」、「家族構成」、「職業」といった項目を有する。図１５に示す例において、広告コンテンツＡＣ１２を掲載する対象に関する条件は、画像が「風景」、関係が「友人」等の複数の条件が含まれることを示す。
【０１００】
なお、広告情報記憶部２２３は、上記に限らず、目的に応じて種々の情報を記憶してもよい。例えば、広告情報記憶部２２３は、掲載期間に関する情報を記憶してもよい。例えば、広告情報記憶部２２３は、掲載に関する情報として、掲載を希望する期間等に関する情報を記憶してもよい。
【０１０１】
（制御部２３０）
図１２の説明に戻って、制御部２３０は、例えば、ＣＰＵやＭＰＵ等によって、選択装置２００内部の記憶装置に記憶されている各種プログラム（選択プログラムの一例に相当）がＲＡＭを作業領域として実行されることにより実現される。また、制御部２３０は、例えば、ＡＳＩＣやＦＰＧＡ等の集積回路により実現される。
【０１０２】
図１２に示すように、制御部２３０は、受付部１３１と、解析部２３２と、選択部２３３と、送信部２３４とを有し、以下に説明する情報処理の機能や作用を実現または実行する。なお、制御部２３０の内部構成は、図１２に示した構成に限られず、後述する情報処理を行う構成であれば他の構成であってもよい。また、制御部２３０が有する各処理部の接続関係は、図１２に示した接続関係に限られず、他の接続関係であってもよい。
【０１０３】
（解析部２３２）
解析部２３２は、受付部１３１に受け付けられた画像を解析する。例えば、解析部２３２は、種々の従来技術を適宜用いて、受付部１３１に受け付けられた画像を解析する。例えば、解析部２３２は、図１０に示す例において、画像情報ＧＣ１１には２人の人間が含まれており、そのうちの１人は子供であることを画像解析により判定する。
【０１０４】
（選択部２３３）
選択部２３３は、第１ユーザ以外の第２ユーザに関する情報に基づいて、第２ユーザに送付される送付物に画像とともに掲載される広告を選択する。また、選択部２３３は、第２ユーザに関する情報に加えて、第１ユーザに関する情報に基づいて、広告を選択する。また、選択部２３３は、第１ユーザと第２ユーザとの関係に関する情報に基づいて、広告を選択する。また、選択部２３３は、第２ユーザに関する情報に加えて、受付部１３１により受け付けられた画像の解析に関する情報に基づいて、広告を選択する。例えば、図１０に示す例において、選択部２３３は、子供が含まれる画像情報ＧＣ１１とともに掲載される広告コンテンツとして、条件に画像「子供」が含まれる広告コンテンツＡＣ１４を選択する。
【０１０５】
また、選択部２３３は、受付部１３１により受け付けられた画像に関する指定に基づいて、画像とともに掲載する広告を選択する。また、選択部２３３は、受付部１３１により受け付けられた画像に関する指定に該当しない画像とともに掲載する広告として、広告主の広告を選択する。例えば、選択部２３３は、広告主が酒類の含まれる画像とともに車に関する広告が掲載されることを希望しない指定がされている場合、他の条件を満たしている場合であってもその広告を選択しない。
【０１０６】
（送信部２３４）
例えば、送信部２３４は、選択装置２００の管理者が利用する所定の携帯端末に画像とともに掲載される広告コンテンツを選択したことを通知する情報を送信する。また、例えば、送信部２３４は、画像や広告コンテンツや第１ユーザに関する情報や第２ユーザに関する情報を配送業者ＤＣ２１の情報処理装置に送信する。また、送信部２３４は、送付物の配送依頼を受け付けた際に、第１ユーザに配送依頼完了通知とともに広告を第１ユーザが利用する端末装置１０に送信する。送信部２３４は、受付部１３１により受け付けられた指定に基づく広告を、第１ユーザに配送依頼完了通知とともに端末装置１０に送信する。例えば、送信部２３４は、広告情報記憶部２２３に記憶された広告のうち、広告主から広告主の広告を配信する第１ユーザに関する情報に対して指定（条件）を満たす、広告を第１ユーザに配送依頼完了通知とともに端末装置１０に送信する。図１５に示す例において、送信部２３４は、第１ユーザの年齢が６０代である場合、広告情報記憶部２２３に記憶された広告のうち、広告ＩＤ「Ａ１２」により識別される広告コンテンツＡＣ１２に対応する広告を第１ユーザに配送依頼完了通知とともに端末装置１０に送信する。
【０１０７】
〔８．効果〕
上述してきたように、実施形態及び変形例に係る選択装置１００、２００は、受付部１３１と、選択部１３２、２３３とを有する。受付部１３１は、第１ユーザから画像を受け付ける。選択部１３２は、第１ユーザ以外の第２ユーザに関する情報に基づいて、第２ユーザに送付される送付物に画像とともに掲載される広告を選択する。
【０１０８】
これにより、実施形態及び変形例に係る選択装置１００、２００は、送付先である第２ユーザに関する情報に基づいて広告を選択することにより、送付物を受け取り閲覧する第２ユーザに適した広告を選択する。したがって、選択装置１００、２００は、送付物に画像とともに掲載される広告を適切に選択することができる。
【０１０９】
また、実施形態及び変形例に係る選択装置１００、２００において受付部１３１は、第１ユーザから第２ユーザに関する情報を受け付ける。
【０１１０】
これにより、実施形態及び変形例に係る選択装置１００、２００は、第１ユーザから受け付けた第２ユーザに関する情報に基づいて広告を選択することにより、送付物を受け取り閲覧する第２ユーザに適した広告を選択する。したがって、選択装置１００、２００は、送付物に画像とともに掲載される広告を適切に選択することができる。
【０１１１】
また、実施形態及び変形例に係る選択装置１００、２００において選択部１３２、２３３は、第２ユーザに関する情報に加えて、前記第１ユーザに関する情報に基づいて、前記広告を選択する。
【０１１２】
これにより、実施形態及び変形例に係る選択装置１００、２００は、第２ユーザに関する情報に加えて第１ユーザに関する情報に基づいて広告を選択することにより、送付物を受け取り閲覧する第２ユーザに適した広告を選択する。したがって、選択装置１００、２００は、送付物に画像とともに掲載される広告を適切に選択することができる。
【０１１３】
また、変形例に係る選択装置２００において選択部２３３は、第１ユーザと第２ユーザとの関係に関する情報に基づいて、広告を選択する。
【０１１４】
これにより、変形例に係る選択装置２００は、第１ユーザと第２ユーザとの関係に基づいて広告を選択することにより、送付物を受け取り閲覧する第２ユーザに適した広告を選択する。したがって、選択装置２００は、送付物に画像とともに掲載される広告を適切に選択することができる。
【０１１５】
また、変形例に係る選択装置２００において選択部２３３は、第２ユーザに関する情報に加えて、受付部１３１により受け付けられた画像の解析に関する情報に基づいて、広告を選択する。
【０１１６】
これにより、変形例に係る選択装置２００は、第２ユーザに関する情報に加えて、画像の解析に関する情報に基づいて、送付物を受け取り閲覧する第２ユーザに適した広告を選択する。したがって、選択装置２００は、送付物に画像とともに掲載される広告を適切に選択することができる。
【０１１７】
また、実施形態及び変形例に係る選択装置１００、２００において受付部１３１は、広告主から広告主の広告を掲載する広告料金に関する情報を受け付ける。選択部１３２、２３３は、受付部１３１による画像の受付けから、送付物の第２ユーザへの配送までに要する費用以上の広告料金が得られる広告を選択する。
【０１１８】
これにより、実施形態及び変形例に係る選択装置１００、２００は、広告料収入により送付物を無料で第２ユーザへ配送することができる。これにより、選択装置１００、２００は、ユーザによる費用負担をなくすことによりユーザの満足度を高め、利用するユーザを増やすことができる。
【０１１９】
また、実施形態及び変形例に係る選択装置１００、２００において受付部１３１は、広告主から広告主の広告を提供するユーザに関する情報に対して指定（実施形態においては「条件」。以下同じ）を受け付ける。選択部１３２、２３３は、受付部１３１により受け付けられた指定に基づいて、画像とともに掲載する広告を選択する。
【０１２０】
これにより、実施形態及び変形例に係る選択装置１００、２００は、広告主の指定に基づいて、広告主が希望するユーザに応じて広告を選択する。したがって、選択装置１００、２００は、広告主の希望に基づく第２ユーザを送付先とする送付物に画像とともに掲載される広告を適切に選択することができる。
【０１２１】
また、実施形態及び変形例に係る選択装置１００、２００において受付部１３１は、広告主から広告主の広告とともに掲載する画像に関する指定を受け付ける。選択部１３２、２３３は、受付部１３１により受け付けられた画像に関する指定に基づいて、画像とともに掲載する広告を選択する。
【０１２２】
これにより、実施形態及び変形例に係る選択装置１００、２００は、広告主の指定に基づいて、広告主が広告とともに掲載を希望する画像に応じて広告を選択する。したがって、選択装置１００、２００は、広告主の希望に基づく画像とともに送付物に掲載される広告を適切に選択することができる。
【０１２３】
また、実施形態及び変形例に係る選択装置１００、２００において受付部１３１は、広告主から広告主の広告とともに掲載を希望しない画像に関する指定を受け付ける。選択部１３２、２３３は、受付部１３１により受け付けられた画像に関する指定に該当しない画像とともに掲載する広告として、広告主の広告を選択する。
【０１２４】
これにより、実施形態及び変形例に係る選択装置１００、２００は、広告主の指定に基づいて、広告主が広告とともに掲載を希望しない画像に応じて広告を選択する。したがって、選択装置１００、２００は、広告主が希望しない画像とともに広告が掲載されることを抑制でき、広告主の満足度を高めることができる。このように、選択装置１００、２００は、広告主の指定に基づいて、広告主が広告とともに掲載を希望しない画像に応じて広告を選択することにより、広告を適切に選択することができる。
【０１２５】
また、実施形態及び変形例に係る選択装置１００、２００は、送信部１３４、２３４を有する。送信部１３４、２３４は、送付物の送付依頼を受け付けた際に、第１ユーザへの送付依頼完了通知とともに広告を第１ユーザが利用する端末装置１０に送信する。
【０１２６】
これにより、実施形態及び変形例に係る選択装置１００、２００は、第１ユーザと第２ユーザとの両方に広告を提供することができる。
【０１２７】
また、実施形態及び変形例に係る選択装置１００、２００において受付部１３１は、広告主から広告主の広告を配信する第１ユーザに関する情報に対して指定を受け付ける。選択部１３２、２３３は、受付部１３１により受け付けられた指定に基づく広告を、第１ユーザへの送付依頼完了通知とともに端末装置１０に送信する。
【０１２８】
これにより、実施形態及び変形例に係る選択装置１００、２００は、広告主の指定に基づいて、広告主が希望するユーザに応じて広告を第１ユーザの端末装置へ配信する。したがって、選択装置１００、２００は、広告主の希望に基づく第１ユーザへ広告を適切に配信することができる。
【０１２９】
また、実施形態及び変形例に係る選択装置１００、２００において受付部１３１は、所定の期間において設定される上限数に基づいて、第１ユーザから送付物の送付依頼を受け付ける。
【０１３０】
これにより、実施形態及び変形例に係る選択装置１００、２００は、所定の期間において設定される上限数に基づいて、第１ユーザから送付物の送付依頼を受け付けることにより、上限数を超えた第１ユーザから配信以来を受け付けた場合、送付物の配送を断ることや、送付物（はがき）における画像の表示領域のサイズを制限することができる。
【０１３１】
〔９．ハードウェア構成〕
上述してきた実施形態及び変形例に係る選択装置１００、２００は、例えば図１６に示すような構成のコンピュータ１０００によって実現される。図１６は、選択装置の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１３２】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１３３】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ送信する。
【０１３４】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１３５】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１３６】
例えば、コンピュータ１０００が実施形態及び変形例に係る選択装置１００として機能する場合、コンピュータ１０００のＣＰＵ１１００は、ＲＡＭ１２００上にロードされたプログラムを実行することにより、制御部１３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１３７】
以上、本願の実施形態及び変形例のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１３８】
〔１０．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１３９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１４０】
また、上述してきた実施形態及び変形例は、処理内容を矛盾させない範囲で適宜組み合わせることが可能である。
【０１４１】
また、上述してきた「部（section、module、unit）」は、「手段」や「回路」などに読み替えることができる。例えば、受付部は、受付手段や受付回路に読み替えることができる。
【符号の説明】
【０１４２】
１  選択システム
１００  選択装置
１２１  第１ユーザ情報記憶部
１２２  第２ユーザ情報記憶部
１２３  広告情報記憶部
１３０  制御部
１３１  受付部
１３２  選択部
１３３  送信部
【図１】
0006739910.tif 000002
【図２】
0006739910.tif 000003
【図３】
0006739910.tif 000004
【図４】
0006739910.tif 000005
【図５】
0006739910.tif 000006
【図６】
0006739910.tif 000007
【図７】
0006739910.tif 000008
【図８】
0006739910.tif 000009
【図９】
0006739910.tif 000010
【図１０】
0006739910.tif 000011
【図１１】
0006739910.tif 000012
【図１２】
0006739910.tif 000013
【図１３】
0006739910.tif 000014
【図１４】
0006739910.tif 000015
【図１５】
0006739910.tif 000016
【図１６】
0006739910.tif 000017